(57)【要約】【課題】  携帯電話等の通信端末の画面サイズが小さいことによる、広告を表示する際の不利益を無くしながら、商品の取引に直結させることが可能な情報送信サーバを提供する。【解決手段】  情報送信サーバ１は、（１）商品情報と、ロケーション情報と、電話番号と、を格納する情報格納部１０３と、（２）通信端末８０から所定の電話番号に行われた発呼に対応する着呼を受け付ける着呼受付部１０１と、（３）当該受け付けた着呼に対応する所定の電話番号に関連付けられて情報格納部１０３に格納されている商品情報及びロケーション情報を選択する情報選択部１０２と、（４）当該選択した商品情報を通信端末８０に送信する第１情報送信部１０４と、（５）着呼に対応する呼接続が切断されると、情報選択部１０２が選択したロケーション情報を通信端末８０に送信する第２情報送信手段と、を備える。【選択図】  図１
2005301695.tif 000002
【特許請求の範囲】
【請求項１】
業者が提供しようとする対象の内容を説明する商品情報と、前記対象に関連する情報のネットワーク上の所在を示すロケーション情報と、前記対象に割当てられた電話番号と、をそれぞれ関連付けて格納する情報格納手段と、
通信端末から所定の電話番号に発呼が行われた場合に、その発呼に対応する着呼を受け付ける着呼受付手段と、
当該受け付けた着呼に対応する前記所定の電話番号に関連付けられて前記情報格納手段に格納されている商品情報及びロケーション情報を選択する情報選択手段と、
当該選択した商品情報を前記通信端末に送信する第１情報送信手段と、
前記着呼に対応する呼接続が切断されると、前記情報選択手段が選択したロケーション情報を前記通信端末に送信する第２情報送信手段と、
を備える情報送信サーバ。
【請求項２】
前記第２情報送信手段は、前記着呼に対応する呼接続が切断される前に前記通信端末から送信拒否信号が送信された場合には、前記ロケーション情報を前記通信端末に送信しない、請求項１に記載の情報送信サーバ。
【請求項３】
前記業者が使用する業者通信端末から送信される、一の対象に関連する商品情報及びロケーション情報を含む登録要求情報を受信する登録要求受信手段と、
当該登録要求情報の受信に応じて、前記一の対象に電話番号を割当てて、前記商品情報及び前記ロケーション情報と関連付けて、前記情報格納手段に格納する割当手段と、
当該割当てた電話番号を前記業者通信端末に送信する電話番号送信手段と、
を備える、請求項１又は２に記載の情報送信サーバ。
【請求項４】
前記登録要求情報には前記一の対象を識別するための対象識別情報が含まれており、前記割当手段は前記電話番号、前記商品情報、及び前記ロケーション情報と関連付けて前記対象識別情報を前記情報格納手段に格納する、請求項３に記載の情報送信サーバ。
【発明の詳細な説明】
【技術分野】
【０００１】
本発明は、情報送信サーバに関するものである。
【背景技術】
【０００２】
クライアント端末とサーバとの接続を契機に、要求されるＵＲＬサイトのページと広告情報とを、クライアント端末に送信するシステムが提案されている（例えば、下記特許文献１参照）。下記特許文献１に開示されたオンライン接続システムでは、サーバに広告情報が格納されている。サーバは、クライアント端末との接続を契機に、要求されるＵＲＬサイトのページをクライアント端末に送信する。これと引き換えにサーバは、広告情報をクライアント端末に送信する。クライアント端末は、サーバとの接続の切断後に、上記の広告情報が出力されるような登録設定と、この広告情報の出力とを行っている。
【特許文献１】特開２００２−９２４８５号公報
【発明の開示】
【発明が解決しようとする課題】
【０００３】
しかしながら、上記従来の技術を、通信機能を有する携帯電話等の通信端末に適用した場合、通信端末はＰＣ（パーソナルコンピュータ）に比べて画面（ディスプレイ）のサイズが小さいため、通信端末により得られる広告等の情報量が限られてしまう。これにより、ユーザは広告等に表示される商品等の選定を十分に行うことができない。また、選択した商品等の購入に至るまでの手順や操作が煩雑であるため、商品の取引に直結することができず、通信端末を用いたインターネットショッピングの普及の妨げになっている。
【０００４】
そこで本発明では、携帯電話等の通信端末の画面サイズが小さいことによる、広告を表示する際の不利益を無くしながら、商品の取引に直結させる可能性を高めることができる情報送信サーバを提供することを課題とする。
【課題を解決するための手段】
【０００５】
本発明の情報送信サーバは、（１）業者が提供しようとする対象の内容を説明する商品情報と、対象に関連する情報のネットワーク上の所在を示すロケーション情報と、対象に割当てられた電話番号と、をそれぞれ関連付けて格納する情報格納手段と、（２）通信端末から所定の電話番号に発呼が行われた場合に、その発呼に対応する着呼を受け付ける着呼受付手段と、（３）当該受け付けた着呼に対応する所定の電話番号に関連付けられて情報格納手段に格納されている商品情報及びロケーション情報を選択する情報選択手段と、（４）当該選択した商品情報を通信端末に送信する第１情報送信手段と、（５）着呼に対応する呼接続が切断されると、情報選択手段が選択したロケーション情報を通信端末に送信する第２情報送信手段と、を備える。
【０００６】
本発明の情報送信サーバによれば、第１情報送信手段が、当該選択した商品情報を通信端末に送信するので、ユーザは、業者が提供しようとする対象の内容である動画等の商品情報を閲覧しながら、対象の選定を十分に行うことができる。また、着呼に対応する呼接続が切断されると、第２情報送信手段が、情報選択手段が選択したロケーション情報を通信端末に送信するので、ユーザは、商品購入画面ページのＵＲＬ等の、対象に関連する情報のネットワーク上の所在を示すロケーション情報を得ることができる。
【０００７】
また、第２情報送信手段は、着呼に対応する呼接続が切断される前に通信端末から送信拒否信号が送信された場合には、ロケーション情報を通信端末に送信しないことも好ましい。これにより、ユーザは、着呼に対応する呼接続を切断させる前に通信端末から送信拒否信号を送信させれば、ロケーション情報を受信させないようにすることができる。
【０００８】
また、情報送信サーバは、業者が使用する業者通信端末から送信される、一の対象に関連する商品情報及びロケーション情報を含む登録要求情報を受信する登録要求受信手段と、当該登録要求情報の受信に応じて、一の対象に電話番号を割当てて、商品情報及びロケーション情報と関連付けて、情報格納手段に格納する割当手段と、当該割当てた電話番号を業者通信端末に送信する電話番号送信手段と、を備えることも好ましい。これにより、業者は、一の対象に関連する商品情報及びロケーション情報を含む登録要求情報と、割当てられた電話番号とを情報格納手段に新たに追加して格納することができる。また、業者は、業者通信端末が受信した電話番号を入手することができる。
【０００９】
また、登録要求情報には一の対象を識別するための対象識別情報が含まれており、割当手段は電話番号、商品情報、及びロケーション情報と関連付けて対象識別情報を情報格納手段に格納することも好ましい。これにより、一の対象を識別することができる。
【発明の効果】
【００１０】
本発明によれば、携帯電話等の通信端末の画面サイズが小さいことによる、広告を表示する際の不利益を無くしながら、商品の取引に直結させることが可能な情報送信サーバを提供することができる。
【発明を実施するための最良の形態】
【００１１】
以下、添付図面を参照しながら本発明の好適な実施形態を説明する。なお、図面の説明において同一要素には同一符号を付し、重複する説明を省略する。
【００１２】
本発明の実施形態である情報送信サーバについて、図１を用いて説明する。図１は、情報送信サーバ１を説明するための図である。情報送信サーバ１は、物理的には、ＣＰＵ（中央演算処理装置）、メモリ、ハードディスクといった格納装置、モデムやＬＡＮカードといった通信装置、マウスやキーボードといった入力装置、ディスプレイといった表示装置などを備えたコンピュータシステム（またはコンピュータシステムの集合体）として構成されている。
【００１３】
情報送信サーバ１は、閲覧部１０と登録部１１とに大別できる。閲覧部１０は機能的な構成要素として、着呼受付部（着呼受付手段）１０１、情報選択部（情報選択手段）１０２、情報格納部（情報格納手段）１０３、第１情報送信部（第１情報送信手段）１０４、及び第２情報送信部（第２情報送信手段）１０５を備えている。また、登録部１１は機能的な構成要素として、登録要求受信部（登録要求受信手段）１１１、割当部（割当手段）１１２、及び電話番号送信部（電話番号送信手段）１１４を備えている。
【００１４】
また、情報送信サーバ１とは別に、情報送信サーバ１と通信を行う通信端末８０及び業者通信端末９０と、通信端末８０と情報送信サーバ１との間に介在する通信網６０と、及び業者通信端末９０と情報送信サーバ１との間に介在する通信網６１と、が存在する。
【００１５】
引き続いて、情報送信サーバ１の各構成要素について説明する。着呼受付部１０１は、着呼があることを通知する着呼信号及び送信拒否信号を受信する部分である。より具体的には、通信端末８０から所定の電話番号に行われた発呼に対する着呼があることを通知する着呼信号と、通信端末８０から送信された送信拒否信号とを受信する部分である。当該受信は、通信網６０を介して行われる。着呼受付部１０１は着呼信号を受信した場合には呼接続を確立すると共に、その着呼信号に対応する電話番号を情報選択部１０２に出力する。また、着呼受付部１０１は送信拒否信号を受信すると、その受信した送信拒否信号を情報選択部１０２に出力する。
【００１６】
情報選択部１０２は、情報格納部１０３から商品情報等を選択する部分である。より具体的には、着呼受付部１０１が受け付けた着呼に対応する所定の電話番号に関連付けられて情報格納部１０３に格納されている商品情報及びロケーション情報を選択する部分である（詳細は後述する）。情報選択部１０２は、選択した商品情報を第１情報送信部１０４に出力する。情報選択部１０２は、選択したロケーション情報を第２情報送信部１０５に出力する。尚、情報選択部１０２は、着呼受付部１０１から送信拒否信号が出力された場合には、ロケーション情報を第２情報送信部１０５に出力しない。既にロケーション情報を第２情報送信部１０５に出力してから送信拒否信号を受け取った場合には、情報選択部１０２はその旨を示す情報を第２情報送信部１０５に出力する。
【００１７】
第１情報送信部１０４は、情報選択部１０２により選択された商品情報を、通信網６０を介して通信端末８０に送信する部分である。第１情報送信部１０４は、情報選択部１０２から出力された商品情報を、その商品情報に対応する呼接続が継続する限り送信し続ける。また、第１情報送信部１０４は、呼接続が切断された場合には、対応する商品情報の送信を停止する。
【００１８】
第２情報送信部１０５は、情報選択部１０２により選択されたロケーション情報を、通信端末８０に送信する部分である。より具体的には、着呼受付部１０１が受け付けた着呼に対応する呼接続が切断されると、情報選択部１０２が選択したロケーション情報を、通信網６０を介して通信端末８０に送信する部分である。尚、第２情報送信部１０５は、情報選択部１０２から送信拒否信号が出力された場合にはロケーション情報を送信しない。ロケーション情報の送信方法は、特に限定されず、パケット通信によるメール（インターネットメール、携帯電話のショートメール等）で送信してもよい。
【００１９】
登録要求受信部１１１は、情報格納部１０３に登録される登録要求情報を受信する部分である。より具体的には、業者が使用する業者通信端末９０から送信される、一の対象に関連する商品情報及びロケーション情報を含む登録要求情報を受信する部分である。当該受信は、通信網６１を介して行われる。
【００２０】
割当部１１２は、電話番号を新たに割当てて、商品情報等と共に情報格納部１０３に格納する部分である。より具体的には、登録要求受信部１１１が受信した登録要求情報の受信に応じて、該登録要求情報が含む商品情報に関連する一の対象に電話番号を割当てて、商品情報及びロケーション情報と関連付けて、情報格納部１０３に格納する部分である。（詳細は後述する）。
【００２１】
電話番号送信部１１４は、割当部１１２により割当てられた電話番号を、通信網６１を介して業者通信端末９０に送信する部分である。
【００２２】
通信網６０は、通信端末８０からの発呼及び送信拒否信号を着呼受付部１０１へ中継して送信し、第１情報送信部１０４及び第２情報送信部１０５からそれぞれ送信される商品情報及びロケーション情報を通信端末８０へ中継して送信する。
【００２３】
通信網６１は、業者通信端末９０から送信される商品情報、ロケーション情報、及び対象識別情報を含む登録要求情報を登録要求受信部１１１へ中継して送信し、電話番号送信部１１４から送信される電話番号を業者通信端末９０へ中継して送信する。
【００２４】
通信網６０及び通信網６１は、通信端末８０及び業者通信端末９０が利用する公衆電話回線、無線通信回線、インターネット等が利用する専用線、その他ＬＡＮ等が用いられる。本実施形態では、通信網６０及び通信網６１は、別の通信網としているが、通信端末８０及び業者通信端末９０が同じ回線を用いている場合は、同一の通信網とすることも可能である。
【００２５】
情報格納部１０３は、対象識別情報、業者識別情報、電話番号、商品情報、及びロケーション情報等がそれぞれ関連付けて格納される部分である。図２（ａ）に、対象識別情報が「０００２」の商品情報等が、登録要求受信部１１１に受信されて情報格納部１０３に格納される前の、対象識別情報等の一例を示す。また、図２（ｂ）に、対象識別情報が「０００２」の商品情報等が、情報格納部１０３に格納された後の、対象識別情報等の一例を示す。
【００２６】
図２（ａ）の例は、対象識別情報（０００１）、対象識別情報「０００１」の対象を送信した業者通信端末を使用する業者を識別するための業者識別情報（０００Ａ）、該対象に割当てられた電話番号（ＸＸＸ−ＸＸＸＸ−ＸＸＸＸ）、該対象の内容を説明する商品情報である商品画像（０００００００１）、及び該対象に関連する情報のネットワーク上の所在を示すロケーション情報であるＵＲＬ（ｈｔｔｐ：／／ｗｗｗ．ａｂｃｄ．ｃｏ．ｊｐ／ｂｕｙ）等がそれぞれ関連付けられて情報格納部１０３に格納されていることを示す。なお、対象識別情報及び業者識別情報は、それぞれ一の対象及び業者を一意に識別するための情報であり、これらを識別できれば、対象識別情報及び業者識別情報は含まなくてもよい。また、商品情報は、対象の内容を説明するものであれば特に制限されず、商品画像は、対象の静止画や動画等でもよい。さらに、ロケーション情報は、対象に関連する情報のネットワーク上の所在を示すものであれば特に制限されず、ＵＲＬは、商品購入画面のページや商品購入の問合わせのための連絡先を表示するページ等のＵＲＬでもよい。
【００２７】
図２（ｂ）の例は、対象識別情報が「０００２」の対象の商品情報等が、情報格納部１０３に新たに格納されたことを示す。より具体的には、対象識別情報（０００２）、業者識別情報（０００Ｂ）、電話番号（ＹＹＹ−ＹＹＹＹ−ＹＹＹＹ）、商品画像（０００００００２）等を含む商品情報、及びＵＲＬ（ｈｔｔｐ：／／ｗｗｗ．ｔｅｎｐｏ２．ｃｏ．ｊｐ／ｓｙｏｕｈｉｎ２）等を含むロケーション情報が関連付けられて情報格納部１０３に格納されていることを示す。ここで、電話番号（ＹＹＹ−ＹＹＹＹ−ＹＹＹＹ）に発呼が行われた場合に、その発呼に対応する着呼を着呼受付部が受け付けると、この電話番号に関連付けられて格納されている商品画像（０００００００２）等を含む商品情報及びＵＲＬ（ｈｔｔｐ：／／ｗｗｗ．ｔｅｎｐｏ２．ｃｏ．ｊｐ／ｓｙｏｕｈｉｎ２）等を含むロケーション情報が、情報選択部により情報格納部から選択される。
【００２８】
引き続いて、情報送信サーバ１を用いて商品情報等の情報を送信する方法について、図３及び図４に示すシーケンス図を用いて説明する。図３は、通信端末と、本実施形態の情報送信サーバとのそれぞれにおける商品情報等の閲覧処理の順番を示すシーケンス図であり、図４は、業者通信端末と、本実施形態の情報送信サーバとのそれぞれにおける商品情報等の登録処理の順番を示すシーケンス図である。
【００２９】
商品情報等の閲覧処理は、図３に示すように、まず通信端末８０から所定の電話番号に発呼が行われ（ステップＳ８１）、着呼受付部は、該発呼に対応する着呼を受け付ける（ステップＳ８２）。
【００３０】
情報選択部は、当該受け付けた着呼に対応する所定の電話番号に関連付けられて格納されている商品情報及びロケーション情報を、情報格納部から選択する（ステップＳ８３）。第１情報送信部は、当該選択された商品情報を通信端末８０へ送信し（ステップＳ８４）、通信端末８０は、送信された商品情報を受信する（ステップＳ８５）。これにより、通信端末８０のユーザは、業者が提供しようとする対象の内容である動画等の商品情報を閲覧しながら、対象の選定を十分に行うことができる。
【００３１】
通信端末８０のユーザによる商品情報の閲覧後、着呼に対応する呼接続が切断される（ステップＳ８６）と、着呼受付部は、呼接続の切断を検知する（ステップＳ８７）。これを契機に、第２情報送信部が、ステップＳ８３で情報選択部により選択されたロケーション情報を通信端末８０に送信し（ステップＳ８８）、通信端末８０は、送信されたロケーション情報を受信する（ステップＳ８９）。これにより、通信端末８０のユーザは、対象購入画面ページのＵＲＬ等の、対象に関連する情報のネットワーク上の所在を示すロケーション情報を即座に得ることができる。この結果、情報送信サーバ１は、携帯電話等の通信端末の画面サイズが小さいことによる、広告を表示する際の不利益を無くしながら、対象の取引に直結させることができる。また、購入機会を逃さないショッピングサイトの運営が可能になる。
【００３２】
なお、通信端末８０が受信した商品情報の再生時間が経過してしまうまでに、通信端末８０のユーザが、着呼に対応する呼接続の切断をさせなかったが対象には興味がある場合、もしくは、該呼接続の切断をし忘れた場合、所定の電話番号への再度の発呼の手間を省いて利便性を高めるため、情報送信部は、一定の回数だけもしくは無限に、商品情報を繰り返し通信端末８０へ送信する。
【００３３】
なお、着呼に対応する呼接続の切断が検知される（ステップＳ８７）前に、着呼受付部が送信拒否信号を受信すると、第２情報送信部は、ロケーション情報を通信端末８０に送信しない。これにより、通信端末８０のユーザは、呼接続を切断させる（ステップＳ８６）前に送信拒否信号を送信させれば、ロケーション情報を受信しないようにすることができる。
【００３４】
商品情報等の登録処理は、図４に示すように、まず商品情報、ロケーション情報、及び対象識別情報を含む登録要求情報が、業者通信端末９０から情報送信サーバ１へ送信される（ステップＳ９１）。登録要求受信部は、業者通信端末９０から送信された登録要求情報を受信する（ステップＳ９２）。
【００３５】
割当部は、受信した登録要求情報に応じて、一の対象に電話番号を割当てる（ステップＳ９３）。割当部は、電話番号、商品情報、及びロケーション情報と関連付けて対象識別情報を情報格納部に格納する（ステップＳ９４）。これにより、業者通信端末９０から送信された、商品情報、ロケーション情報、対象識別情報、及び電話番号を情報格納部に格納することができる。また、対象識別情報を格納することにより、格納する対象の重複を、確実に防止することができる。
【００３６】
電話番号送信部は、割当てられた電話番号を業者通信端末９０へ送信し（ステップＳ９５）、業者通信端末９０は、送信された電話番号を受信する（ステップＳ９６）。これにより、業者通信端末を使用する業者は、受信した電話番号を用いた広告等を、各メディアを通じて一般消費者に対して掲載することで、新たな商品の取引を開始できる可能性がある。
【００３７】
本実施形態の作用効果について説明する。第１情報送信部１０４が、情報選択部１０２が選択した商品情報を通信端末８０に送信するので、ユーザは動画等の商品情報を閲覧できる。また、着呼に対応する呼接続が切断されると、第２情報送信部１０５が、情報選択手段１０２が選択したＵＲＬを通信端末８０に送信するので、ユーザは、商品購入画面ページ等に容易にアクセスできる。
【図面の簡単な説明】
【００３８】
【図１】本実施形態の情報送信サーバを説明するための図である。
【図２】図２（ａ）は、対象識別情報が「０００２」の商品情報等が情報格納部に格納される前の対象識別情報等の一例を示し、図２（ｂ）は、該商品情報等が情報格納部に格納された後の対象識別情報等の一例を示す。
【図３】商品情報等の閲覧処理の順番を示すシーケンス図である。
【図４】商品情報等の登録処理の順番を示すシーケンス図である。
【符号の説明】
【００３９】
１…情報送信サーバ、１０…閲覧部、１１…登録部、６０，６１…通信網、８０…通信端末、９０…業者通信端末、１０１…着呼受付部、１０２…情報選択部、１０３…情報格納部、１０４…第１情報送信部、１０５…第２情報送信部、１１１…登録要求受信部、１１２…割当部、１１４…電話番号送信部。
【図１】
2005301695.tif 000003
【図２】
2005301695.tif 000004
【図３】
2005301695.tif 000005
【図４】
2005301695.tif 000006